(57)【要約】【課題】  間仕切りシートや遮光シート等の取り付けが容易に行えるようにする。【解決手段】  間仕切りシートや遮光シート等の面状物品Ｓ１を取り付けるための取り付け具１であり、一方側にハトメ金具３等よりなる係止部が設けられ、他方側が２枚の重ね構造とされるとともにその重ね片２ａ、２ａそれぞれの相対する内面が粘着面７とされ、粘着面７のそれぞれで面状物品Ｓ１の両面を挟持可能としてなるもの。【選択図】図３
2017185171.tif 000002
【特許請求の範囲】
【請求項１】
面状物品を取り付けるための取り付け具であり、
一方側に係止部が設けられ、
他方側が２枚の重ね構造とされるとともにその重ね片それぞれの相対する内面が粘着面とされ、
前記粘着面のそれぞれで前記面状物品の両面を挟持可能としてなることを特徴とする取り付け具。
【請求項２】
面状物品を取り付けるための取り付け具であり、
面状の基材が折り返されて重ね状態とされ、
前記折り返された側に係止部が設けられ、
端部側の相対する内面それぞれが粘着面とされ、
前記粘着面のそれぞれで前記面状物品の両面を挟持可能としてなることを特徴とする取り付け具。
【請求項３】
前記係止部がハトメ金具により構成される請求項１または２記載の取り付け具。
【請求項４】
前記粘着面上に離形紙が付設されてなる請求項１または２記載の取り付け具。
【請求項５】
請求項１または２記載の取り付け具と、その取り付け具により取り付けられる裁断使用面状物品とからなる面状物品取り付けセット。
【発明の詳細な説明】
【技術分野】
【０００１】  この発明は、間仕切りシートや遮光シート等の各種シートの取り付け構造に関する。
【背景技術】
【０００２】  建造物内においては、空間を仕切るように間仕切りシートが用いられ、また、窓からの日光を遮断するように遮光シートが用いられる。このようなシートは、例えば、周縁部にハトメ金具等の複数の係止部が取り付けられ、それら係止部で係止されて取り付けられる。
【発明の概要】
【発明が解決しようとする課題】
【０００３】  上記従来のシートの場合、配置される部所に対応する大きさのシートにおいて係止部が所定位置に予め取り付けられたものを用意する必要があり、所望の場所に適宜のシートを取り付けたい場合には対応できなかった。【０００４】  この発明は上記の事情に鑑みて行ったもので、各種シート等の取り付けが容易な行える取り付け具を提供することを目的とする。さらに、その取り付け具とシート等よりなる面状物品の取り付けセットを提供する
【課題を解決するための手段】
【０００５】  この発明では、面状物品を取り付けるための取り付け具であり、一方側に係止部が設けられ、他方側が２枚の重ね構造とされるとともにその重ね片それぞれの相対する内面が粘着面とされ、前記粘着面のそれぞれで前記面状物品の両面を挟持可能としてなることを特徴とする取り付け具を提供する。さらに、面状物品を取り付けるための取り付け具であり、面状の基材が折り返されて重ね状態とされ、前記折り返された側に係止部が設けられ、端部側の相対する内面それぞれが粘着面とされ、前記粘着面のそれぞれで前記面状物品の両面を挟持可能としてなることを特徴とする取り付け具を提供する。【０００６】  上記それぞれの構成の取り付け具は、粘着面のそれぞれが面状物品の両面に両側から押し付けられることで、面状物品に容易、かつ、強固に装着される。さらに、取り付け具が所望形状の面状物品に所望の数だけ装着使用される。【０００７】  取り付け具の基材は、面状物品への取り付け強度、面状物品の支持強度を持つ構成とされる。さらに、取り付け具は垂直方向に使用される遮光シートや間仕切りシート、さらに、水平方向に使用されるテントの敷設シート等の面状物品に適宜取り付けられて用いられる。面状物品の材質は適宜であってよい。【０００８】    取り付け具の係止部はハトメ金具や係止金具等により構成され、また、粘着面上には離形紙が付設され使用時に剥がされて使用される。【０００９】    さらにこの発明では、上記の取り付け具と、その取り付け具により取り付けられる裁断使用面状物品とからなる面状物品取り付けセットを提供する。【００１０】  上記構成の面状物品取り付けセットによれば、裁断使用面状物品が取り付け部所に対応して裁断された面状物品に取り付け具を適宜装着して取り付け使用できる。
【発明の効果】
【００１１】  この発明によれば、各種のシート等が取り付け具を装着することで容易に取り付けることができるようになる。
【図面の簡単な説明】
【００１２】
【図１】  この発明の取り付け具の実施形態の外観斜視図
【図２】  この発明の取り付け具の実施形態の部分拡大断面図
【図３】  この発明の取り付け具の実施形態の使用説明図
【図４】  この発明の取り付け具の実施形態の使用説明図
【図５】  この発明の面状物品の取り付けセットの実施形態の平面図
【図６】  この発明の面状物品の取り付けセットの使用説明図
【図７】  この発明の取り付け具の他の実施形態の外観斜視図
【発明の好ましい実施形態】
【００１３】  図１は取り付け具１を示す斜視図、図２は同部分拡大断面図である。取り付け具１は基材２とハトメ金具（係止部）３とから構成される。基材２は帯状の基材シート４の裏面の全体に粘着剤層（粘着面）７が形成されるともに、その粘着剤層７を覆うように離形紙９が貼り付けられて構成されている。基材シート４は塩化ビニール樹脂部５内部にポリエステル繊維等の織物６が埋設されていて、十分なる強度を備える。粘着剤層７はアクリル樹脂液が塗布されることで設けられている。基材２は折り返されて一対の基材片（重ね片）２ａが重ね状態とされ、その折り返された側の近傍にハトメ金具３が嵌め込み装着されている。基材２はハトメ金具３が装着されることでその重ね構造が強固になっている。基材２は離形紙９が貼られた状態の大形の基材材料が所定寸法に裁断されて得られる。
【００１４】  取り付け具１の使用について説明する。取り付け具１は、図３、図４に示すように、基材片２ａそれぞれの端部側の離形紙９それぞれを剥がした状態とし、使用されるシートＳ１の縁部２０を基材片２ａそれぞれの間に差し入れるように装着し、基材片２ａそれぞれを両側から挟む状態で押し付けて粘着剤層７のそれぞれを縁部２０の両面に貼り付けて取り付ける。基材片２ａの粘着剤層７が両側から縁部２０の両面に押し付けられることで、取り付け具１はシートＳ１に容易、かつ、強固に装着される。シートＳ１は取り付け具１のハトメ金具３が建造物の係止具に直接係止されて取り付けられ、また、ハトメ金具３に係止される係止紐等を介して建造物に取り付けられる。
【００１５】  図５は面状物品取り付けセットを示す。面状物品取り付けセット１００は複数個の取り付け具１と大形のシート（裁断使用面状物品）Ｓ２とからなる。図６に示すように、取り付け場所に対応して所望の形態に裁断されたシートＳ１の上縁部２２に３個の取り付け具１が取り付けられて用いられる。面状物品取り付けセット１００はシートＳ２を所望の形態に裁断したシートＳ１に適宜取り付け具１を装着使用することで便利に使用される。
【００１６】  図７は取り付け具の他の実施形態を示す。この取り付け具３０は係止金具３５が取り付けられて構成されており、その他の基材３２構成は上記実施形態の取り付け具１と同様である。取り付け具３０は上記実施形態の取り付け具１と同様にシートＳ１に装着され、シートＳ１は係止金具３５が建造物の係止具に直接係止され、係止金具３５に係止される係止紐等を介して建造物に取り付けられる。
【符号の説明】
【００１７】１    取り付け具
２    基材
２ａ  基材片（重ね片）
３    ハトメ金具（係止部）
７    粘着剤層（粘着面）
９    離形紙
【図１】
2017185171.tif 000003
【図２】
2017185171.tif 000004
【図３】
2017185171.tif 000005
【図４】
2017185171.tif 000006
【図５】
2017185171.tif 000007
【図６】
2017185171.tif 000008
【図７】
2017185171.tif 000009